(57)【特許請求の範囲】
【請求項１】
洗浄水を給水しながらブラシをモータで高速回転して床面を洗浄する洗浄機能と、洗浄によって生じた汚水を床面からスキージの吸引作用によって吸引する汚水吸引機能を備えた床面洗浄清掃機であって、
前後にスキージブレードを取付けたスキージフレームの略中央部分に、この中央部分を上下に貫いた状態で円盤形のブラシと駆動用モータとから成るブラシヘッド部を設けて、これ等スキージフレームとブラシヘッド部の位置を、相対的に上下にスライドできるように構成することにより、上記ブラシとスキージの位置関係を、ブラシとスキージを共に床面に接地させた床面洗浄吸水位置と、ブラシのみを床面に接地させてスキージを床面から離間させる床面洗浄位置と、スキージのみを床面に接地させ、且つ、洗浄水の給水を止めた状態でブラシを床面から離間させる汚水吸引位置の、計３通りの位置、又は、いずれか２通りの位置に切換自在に構成したことを特徴とする床面洗浄清掃機。
【請求項２】
円盤形のブラシと駆動用のモータとから成るブラシヘッド部に対して、操作ハンドルの先端部を上下作動自在に連結する一方、スキージブレードを取付けたスキージフレームには、上記の操作ハンドルを下方に作動操作する際に、操作ハンドルの先端部側に接してテコの支点となるハンドル支点部を設けて、上記操作ハンドルの下方への作動操作に従って上記のブラシヘッド部をスキージブレードに対して上方にスライドさせて、ブラシを床面から離間するように構成したことを特徴とする請求項１記載の床面洗浄清掃機。
【請求項３】
スキージブレードを取付けたスキージフレームに、操作ハンドルの上下作動をガイドするガイド板を設け、このガイド板には操作ハンドルを床面に対して直立した位置に支持することができる支持部を設けると共に、スキージフレームと前記ブラシヘッド部の間には、上記操作ハンドルの操作に従って床面から離間したブラシを、離間した状態に係止することができ、また、この係止状態を任意に解除できるように構成した係止手段を設けたことを特徴とする請求項１又は２記載の床面洗浄清掃機。
【請求項４】
前記スキージフレームとブラシヘッド部の間に設ける係止手段を、スキージフレームのガイド板に取付けたガイド筒と、根端部をブラシヘッド部側に取付け、且つ、先端部を上記ガイド筒の内部にスライド自在に嵌込んだスライド軸と、このスライド軸に回動自在に取付けられていて、前記操作ハンドルを下方に作動してブラシヘッド部を上方にスライドさせると、上記ガイド筒の上側に設けたストッパーに係止してスライド軸、即ち、ブラシヘッド部の上方への移動を途中で係止し、その後、上記の操作ハンドルを上方に作動してブラシヘッド部を降下させると、上記ガイド筒の側面に形成した係止溝に係止して、ブラシヘッド部の降下を前記ブラシが床面から少し離間した位置で係止する一方、上記の操作ハンドルを再び下方に作動してブラシヘッド部を上方にスライドさせた後、この操作ハンドルを再度上方に作動すると、上記のストッパーに係合回動されて上記係止溝に対する係止を解き、ブラシヘッド部の降下を可能にしてブラシを床面に接地させることができるロック用フック片とによって構成したことを特徴とする請求項３記載の床面洗浄清掃機。
【請求項５】
前記ブラシヘッド部とスキージフレームの間に、スキージフレームを上方に引上げてスキージブレードを床面から離間した位置に係止することができ、また、この係止状態を任意に解除することができる仮り止め手段を設けたことを特徴とする請求項１、２、３又は４記載の床面洗浄清掃機。
【請求項６】
前記のブラシヘッド部を、夫々逆向き方向に回転する左右２つのブラシと、これ等２つのブラシを回転する左右２台のモータとによって構成したことを特徴とする請求項１、２、３、４又は５記載の床面洗浄清掃機。
【発明の詳細な説明】
【０００１】
【発明の属する技術分野】
本発明は、洗浄水を給水しながらブラシをモータで高速回転して床面を洗浄する洗浄機能と、洗浄によって生じた汚水を床面からスキージの吸引作用によって吸引する汚水吸引機能を備えた床面洗浄清掃機に関するものである。
【０００２】
【従来の技術】
操作ハンドルを押してブラシヘッド部を移動させながら床面の洗浄を行う従来の一般的な床面洗浄清掃機は、例えば特開昭６２−２５３０２０号公報に記載されているように、ブラシに向けて洗浄水を滴下しながらこのブラシをモータで回転させることによって、床面のブラッシング（洗浄）を行うと同時に、洗浄汚水をスキージでタンクに吸引回収するように構成されているが、この床面洗浄清掃機を本来とは異なる別の使い方をしたい場合、例えば、床面の汚れがひどい場合に、ブラッシングの際に床面上に散布した洗剤をブラッシングと同時に回収せずに、そのまま床面に滴下した状態のままにして、床面が綺麗に成るまでブラシによるブラッシングを続けて、床面が綺麗に成った時点で洗浄汚水を回収すると言った使い方をしたい場合には、この機械では対応することができない。
【０００３】
そこで、例えば特表平１０−５１３３８９号公報に見られるように、クリーナーヘッドに於けるブラシと集液ブレード（スキージ）とを互いにその高さを違えた状態で移動させて、ブラッシングを行う際は集液ブレードを引込めて汚水の回収を行わないようにし、汚水の吸引を行う時はブラシを引込めてブラッシングを行わないようにした装置が考えられた。
【０００４】
【発明が解決しようとする課題】
ところが、上記のクリーナーヘッドは、ブラシによる洗浄と集液ブレードによる汚水の吸引とを切り換えて別々に行うことができるが、これ等洗浄と吸引を同時に行うものではないため、床面の汚れ具合によっては充分な洗浄効果を発揮できない場合があり、また、クリーナーヘッドを手動で前後させて操作する構成であるため、清掃の作業性が良くないと言った問題があった。
【０００５】
従って本発明の技術的課題は、ブラシをモータで高速回転させて床面の洗浄を行う床面洗浄清掃機に、洗浄水の給水とブラシ洗浄及びスキージによる汚水の吸引を同時に行わせたり、汚水の吸引は行わずに給水と洗浄のみを同時に行わせたり、更には、給水と洗浄は行わずに汚水の吸引のみを行わせると言った、３通り又はいずれか２通りの使い方ができる機能を具備させることである。
【０００６】
【課題を解決するための手段】
（１）  上記の技術的課題を解決するために、本発明では前記請求項１に記載の如く、洗浄水を給水しながらブラシをモータで高速回転して床面を洗浄する洗浄機能と、洗浄によって生じた汚水を床面からスキージの吸引作用によって吸引する汚水吸引機能を備えた床面洗浄清掃機であって、前後にスキージブレードを取付けたスキージフレームの略中央部分に、この中央部分を上下に貫いた状態で円盤形のブラシと駆動用モータとから成るブラシヘッド部を設けて、これ等スキージフレームとブラシヘッド部の位置を、相対的に上下にスライドできるように構成することにより、上記ブラシとスキージの位置関係を、ブラシとスキージを共に床面に接地させた床面洗浄吸水位置と、ブラシのみを床面に接地させてスキージを床面から離間させる床面洗浄位置と、スキージのみを床面に接地させ、且つ、洗浄水の給水を止めた状態でブラシを床面から離間させる汚水吸引位置の、計３通りの位置、又は、いずれか２通りの位置に切換自在に構成したため、ブラシとスキージの相対的な位置関係、即ち、ブラシヘッド部とスキージフレームの相対的な位置関係を切換るだけで、１台の床面洗浄清掃機を、通常の床面洗浄機と同じ床面洗浄吸水状態と、ブラシ洗浄のみを行う床面洗浄状態と、汚水の吸引のみを行う汚水吸引状態に切換えて運転することを可能にする。
【０００７】
（２）  また、本発明では前記請求項２に記載の如く、円盤形のブラシと駆動用のモータとから成るブラシヘッド部に対して、操作ハンドルの先端部を上下作動自在に連結する一方、スキージブレードを取付けたスキージフレームには、上記の操作ハンドルを下方に作動操作する際に、操作ハンドルの先端部側に接してテコの支点となるハンドル支点部を設けて、上記操作ハンドルの下方への作動操作に従って上記のブラシヘッド部をスキージブレードに対して上方にスライドさせて、ブラシを床面から離間するように構成したため、操作ハンドルの操作によってブラシを床面から離間させたり、これを接地させたりすることによって、１台の床面洗浄清掃機を床面をブラッシングしている状態と、ブラッシングを行わない状態に使い分けることを可能にする。
【０００８】
（３）  また、本発明では前記請求項３に記載の如く、スキージブレードを取付けたスキージフレームに、操作ハンドルの上下作動をガイドするガイド板を設け、このガイド板には操作ハンドルを床面に対して直立した位置に支持することができる支持部を設けると共に、スキージフレームと前記ブラシヘッド部の間には、上記操作ハンドルの操作に従って床面から離間したブラシを、離間した状態に係止することができ、また、この係止状態を任意に解除できるように構成した係止手段を設けたため、操作ハンドルを床面に対して直立した保管状態に支持できる一方、前記操作ハンドルの操作によって床面から離間させたブラシを、離間させた状態のまま、即ち、ブラッシングを行わない状態のまま汚水の吸引のみを行う状態で、床面洗浄清掃機を使用することを可能にする。
【０００９】
（４）  また、本発明では前記請求項４に記載の如く、前記スキージフレームとブラシヘッド部の間に設ける係止手段を、スキージフレームのガイド板に取付けたガイド筒と、根端部をブラシヘッド部側に取付け、且つ、先端部を上記ガイド筒の内部にスライド自在に嵌込んだスライド軸と、このスライド軸に回動自在に取付けられていて、前記操作ハンドルを下方に作動してブラシヘッド部を上方にスライドさせると、上記ガイド筒の上側に設けたストッパーに係止してスライド軸、即ち、ブラシヘッド部の上方への移動を途中で係止し、その後、上記の操作ハンドルを上方に作動してブラシヘッド部を降下させると、上記ガイド筒の側面に形成した係止溝に係止して、ブラシヘッド部の降下を前記ブラシが床面から少し離間した位置で係止する一方、上記の操作ハンドルを再び下方に作動してブラシヘッド部を上方にスライドさせた後、この操作ハンドルを再度上方に作動すると、上記のストッパーに係合回動されて上記係止溝に対する係止を解き、ブラシヘッド部の降下を可能にしてブラシを床面に接地させることができるロック用フック片とによって構成したため、ロック用フック片の働きによって操作ハンドルを上下に回動操作するだけで、ブラシを床面から離間した位置にロックしたり、このロックを解いて床面にブラシを接地させることを可能にする。
【００１０】
（５）  また、本発明では前記請求項５に記載の如く、前記ブラシヘッド部とスキージフレームの間に、スキージフレームを上方に引上げてスキージブレードを床面から離間した位置に係止することができ、また、この係止状態を任意に解除することができる仮り止め手段を設けたため、スキージブレードを床面から離間させて、汚水の吸引は行わずに床面のブラシ洗浄のみを床面洗浄清掃機に行わせることを可能にする。
【００１１】
（６）  更に、本発明では前記請求項６に記載の如く、前記のブラシヘッド部を、夫々逆向き方向に回転する左右２つのブラシと、これ等２つのブラシを回転する左右２台のモータとによって構成したため、ブラシを２台のモータによってバランス良く回転して、強力なブラッシング効果を発揮することを可能にする。
【００１２】
【発明の実施の形態】
以下に、上述した本発明に係る床面洗浄清掃機の実施の形態を図面と共に説明すると、図１は本発明の全体を説明した構成図、図２は床面洗浄機の正面図、図３はその底面図、図４は平面図であって、本発明はこれ等各図に示すように符号１で全体的に示した床面洗浄機と、この床面洗浄機１に対してホース１３を介して接続した移動自在なタンク１４（図１参照）によって構成されている。
【００１３】
上記の床面洗浄機１は、上端部に操作ボックス３を取付けた操作ハンドル２と、この操作ハンドル２の先端部に連結したブラシＲＡとこれを高速回転するモータ８Ｍとから成るブラシヘッド部８と、ブラシＲＡの前後に汚水吸引用のスキージブレード１０Ａ，１０Ｂを配設したスキージフレーム８′とによって構成され、また、上記操作ボックス３には図１乃至図４に記載されているように操作レバー３Ａ，３Ａと、ブラシ回転スイッチ３Ｂ，３Ｂと、前記タンク１４側に設けたハギューム用モータ（図示省略）のＯＮ／ＯＦＦスイッチ３Ｃと、同じくタンク１４内に収容した洗浄水を上記ブラシヘッド部８側に給水するポンプ（図示省略）用のＯＮ／ＯＦＦスイッチ３Ｄが設けられている。
【００１４】
上記のブラシヘッド部８は、図２乃至図４に示すように左右一対のブラシＲＡ，ＲＡと、これ等のブラシＲＡ，ＲＡを相対的に内側に向けて回転する左右のモータ８Ｍ，８Ｍとを備えており、且つ、これ等左右のモータ８Ｍ，８Ｍは、ブラシヘッド部８の上面部に設けた左右の取付台８Ｔ，８Ｔにボルト止めされると共に、ブラシヘッド部８の全体は上記スキージフレーム８′の中央部に大きく形成した嵌込穴８Ｘ（図４参照）の内部に上下スライド自在に嵌込まれていて、スキージフレーム８′の底面側に突出した下側のブラシＲＡ，ＲＡを、前後と左右をスキージブレード１０Ａ，１０Ｂ及びスカート（図示省略）で囲まれたブラシ室ＲＡ′（図３参照）内で互いに逆向き方向に高速回転して、床面をブラッシングする仕組に成っている。
【００１５】
図１並びに図６に於いて、９は両端口９Ａ，９Ｂを前記前後のスキージブレード１０Ａ，１０Ｂに接続した吸引パイプで、１１はこの吸引パイプ９と前記操作ハンドル２に取付けた通気パイプ１２の下端口１２Ａの間を接続する接続ホース、１３は通気パイプ１２の上端口１２Ｂと前記タンク１４のバキューム装置（図示せず）との間を接続する吸引ホースであって、これ等各ホース及びパイプを通してバキューム装置の吸引作用を前後のスキージブレード１０Ａ，１０Ｂの部分に及ぼして、床面上の洗浄汚水をタンク１４内に設けた汚水タンクに吸引するように構成されている。
【００１６】
同じく図１と図６に於いて、１５は上記タンク１４内に設けた洗浄水タンクの洗浄水を上記ブラシＲＡ，ＲＡ側に送る給水ホースで、この給水ホース１５を通して送水される洗浄水は、ホース先端部１５Ａを通って給水パイプ１５Ｂから各ブラシＲＡの中央口ＲＸ内に給水される仕組に成っている。尚、図中１６は電気コード、１４Ａと１４Ｂは上記タンク１４の上下のケース体、１４Ｘ，１４Ｒは移動用のキヤスターと車輪を示す。
【００１７】
更に図中、４は上記操作ハンドル２の下端部に略Ｔ字状に取付けた操作基板、５，５はこの操作基板４の左右両側に略Ｌ字状に連設した回動板、２０，２０は前後のスキージブレード９Ａ，９Ｂの間を跨ぐようにスキージフレーム８′の上面に取付けた全体が下向きの略コ字形状を成す左右のガイド板で、各ガイド板２０，２０の後端縁２０Ａ，２０Ａは略円弧状の曲面形状を成し、上記左右の回動板５，５の各先端部を、図４並びに図６、図７に示すように軸６，６を用いて上記ブラシヘッド部８の左右上面に突設したフランジ８″，８″側に回動自在に連結した上記の操作基板４が、上述したガイド板２０，２０の後端縁２０Ａ，２０Ａをその内側に囲い込むように設けられている。
【００１８】
図１と図６乃至図１１並びに図１４に於いて、５Ａは上記各回動板５，５の各側面長手方向に形成したガイド長孔、７は両回動板５，５のガイド長孔５Ａ，５Ａにその両端部を嵌込んだガイド軸で、操作ハンドル２の回動操作によってこのガイド軸７がガイド板２０，２０の後端縁２０Ａ，２０Ａに従ってガイド長孔５Ａ，５Ａ内を移動して、操作ハンドル２を図１に示した床面に対して直立する線ＨＰの位置、即ち、保管位置に回動した時に、図１４に示すようにガイド軸７の両端が各ガイド板２０，２０の後部上面に凹設した係止溝２０Ｖ内に落ち込んで、操作ハンドル２が直立した保管状態を維持できるように構成されている。
【００１９】
図７乃至図１１と図１４に於いて、２１は上記操作ハンドル２の回動操作に従って軸６，６を支点にして下側に回動する左右の回動板５，５の下側通路上に位置するように、上記スキージフレーム８′上に設けたハンドル支点軸であって、図１に示した作業位置（ラインＨＡ）から図９のライン位置ＨＢ及び図１０に示すライン位置ＨＣまで操作ハンドル２を降下作動すると、上記ハンドル支点軸２１によるテコの働きによって、回動板５，５がブラシヘッド部８をスキージフレーム８′に対して上方にスライドして、ブラシＲＡを床面ＦＲより離間できる仕組に成っている。
【００２０】
また、図７乃至図１４に於いて、２２は上記各ガイド板２０の外側面に縦型に取付けたガイド筒、２３は下端部を軸２３Ａによって上記ブラシヘッド部８側のフランジ部８″に取付け、上端側を上記ガイド筒２２の内部にスライド自在に挿通したスライド軸で、スライド軸２３の側面には軸２５を用いてロック用フック片２６が回動自在に取付けられ、また、ガイド筒２２の外側面とスライド軸２３のガイド縁２３′には、夫々係止溝２２Ａと２３Ｂが開口形成され、且つ、ガイド筒２２の上部内側には上記ロック用フック片２６の移動通路に面してストッパー２２Ｂが設けられている。
【００２１】
上記のガイド筒２２とスライド軸２３によって構成される係止手段は、上記操作ハンドル２の回動操作によって床面ＦＲから離間させたブラシＲＡを、離間した状態に係止することができると共に、この係止状態を同じく操作ハンドル２の操作に従って解除して、ブラシＲＡを床面ＦＲ上に降下接地できるように構成したものであって、図９の（イ）図に示した状態から図１０の（イ）図に示したライン位置ＨＣまで操作ハンドル２を回動操作させると、同図の（ロ）図に示すようにロック用フック片２６の上端がストッパー２２Ｂに係止するため、テコの原理によるブラシヘッド部８、即ち、ブラシＲＡの床面ＦＲからの離間を途中（図面の場合は１７ｍｍ）で制止する。
【００２２】
次いで、図１０の（イ）図の状態から図１１の（イ）図に示すように操作ハンドル２を作業位置ラインＨＡまで上昇回動すると、同図の（イ）図に示すようにブラシヘッド部８が降下し、且つ、同図の（ロ）図の如くロック用フック片２６が回動してその先端をガイド筒２２の係止溝２２Ａに係止するため、ブラシＲＡを床面ＦＲから少し離間（図面では５ｍｍ）させた状態にロックすることができる。
【００２３】
上記のロックを外して再びブラシＲＡを床面に接地させる場合は、再び操作ハンドル２を図１０の（イ）図に示した最降下ラインＨＣの位置まで降下回動して、テコの原理によってブラシヘッド部８を再び上昇スライドさせると、図１２の（イ）図に示すようにロック用フック片２６がストッパー２２Ｂに横向きに回動し、次いで、この状態から再び操作ハンドル２を図１並びに図１１に示した作業位置ラインＨＡまで押し上げ回動すれば、スライド軸２３が降下して横向きに回動されているロック用フック片２６が図１２の（ロ）図から（ハ）図の如く縦状態に回動して、スライド軸２３の降下スライドを可能にするため、ブラシＲＡを図９、図１３、図１４に示すように床面ＦＲに接地させたブラッシング状態にすることができる。
【００２４】
更に図中、３０は図１３に示すようにアーム３１を介して上記ブラシヘッド部８側に設けたマグネット、３２はこのマグネット３０に対向させてスキージフレーム８′の上面に取付けた鉄片であって、スキージフレーム８′の全体を手動で引き上げると、上記の鉄片３２がマグネット３０に吸着されて、図８、図１４に記載のようにスキージフレーム８′、即ち、前後のスキージブレード１０Ａ，１０Ｂを床面ＦＲから離間させた位置に支持することができ、また、この離間状態は、同じく手作業にてスキージフレーム８′をブラシヘッド部８に対して取っ手等を用いて押し下げて上記マグネット３０の吸着を外すことによって、スキージブレード１０Ａ，１０Ｂを床面ＦＲに接地させた元の状態に戻すことができるように構成されている。
【００２５】
尚、図中８Ｒは上記スキージフレーム８′の後部に取付けたガイド車輪、８Ｚは同じくスキージフレーム８′の底面に取付けたキャスターであり、また、図２に於いて２０Ｗは左右のモータ８Ｍ，８Ｍを固定する固定板を示し、更に、図５は上述したブラシＲＡに代えてパッドＲＢを上記のブラシヘッド部８に取付けて使用する場合の、交換時の状態を説明した説明図である。また、図１４に於いてＲＳはブラシＲＡを取付けたモータ８Ｍの回転軸である。
【００２６】
本発明は以上述べた如き構成であるから、図６に示すようにブラシＲＡと前後のスキージブレード１０Ａ，１０Ｂを床面ＦＲに接地させて、ブラシＲＡをモータ８Ｍで回転しながら給水パイプ１５Ｂから洗浄水を吸水し、且つ、前後のスキージブレード１０Ａ，１０Ｂに対して吸引作用を及ぼせば、給水と洗浄と吸引の作業を同時に行うことができるため、作業時間の短縮と、作業中に洗剤で足を滑らせたり、靴や衣類、或は、周辺を洗浄汚水で汚すことなく、床面をきれいな状態に洗浄することができる。
【００２７】
また、図７の如くブラシＲＡを床面ＦＲから離間した状態に支持してモータ８Ｍによるその回転を停止し、更に、洗浄水の給水を停止して前後のスキージブレード１０Ａ，１０Ｂに対して吸引作用を及ぼせば、床面上の汚水を吸引することができ、而かも、ブラシＲＡが床面ＦＲから離間しているため、汚水の吸引を少い操作力で軽快に行うことができる。
【００２８】
更に、図８の如くスキージブレード１０Ａ，１０Ｂを床面ＦＲから離間した状態にして、給水しながらブラシＲＡによる洗浄のみを行えば、床面ＦＲに対するブラシＲＡの接地荷重の増加によって、汚れが激しい床面の洗浄を効果的に行うことが可能となる。
【００２９】
【発明の効果】
以上述べた如く、本発明に係る床面洗浄清掃機によれば、１台の床面洗浄機を（１）給水／洗浄／吸引を同時に行う使い方、（２）給水／洗浄を同時に行う使い方、（３）吸引のみを行う使い方、の３通りの使い方、又は、いずれか２通りの使い方ができるため、床面洗浄のいろいろな使用状態に適応できるものであって、床面に対するブラシの昇降の切換を、操作ハンドルを上下に操作するだけで簡単に行えるようにした点と相俟って、床面を洗浄する清掃機として洵に画期的なものである。
【図面の簡単な説明】
【図１】  本発明に係る床面洗浄清掃機の全体を説明した構成図である。
【図２】  本発明の正面図である。
【図３】  本発明の底面図である。
【図４】  本発明の平面図である。
【図５】  ブラシとパッドを交換している状態を説明した説明図である。
【図６】  本発明が洗浄運転と吸引運転を同時に行っている状態を説明した説明図である。
【図７】  本発明が吸引運転のみを行っている状態を説明した説明図である。
【図８】  本発明が洗浄運転のみを行っている状態を説明した説明図である。
【図９】  （イ）図は操作ハンドルを少し下げた状態の本発明の構成図、（ロ）図はその時の係止部材の状態を説明した断面図である。
【図１０】  （イ）図は操作ハンドルを下方に押し下げてブラシを床面から離間させた状態の本発明の構成図、（ロ）図はその時の係止部材の状態を説明した断面図である。
【図１１】  （イ）図は押し下げたハンドル軸を再び押し下げてブラシを床面から離間させてロックしている状態の本発明の構成図、（ロ）図はその時の係止部材のロック状態を説明した断面図である。
【図１２】  （イ）図、（ロ）図、（ハ）図はブラシを床面から離間させた状態からロックを解いて床面に接地する迄の係止部材の動きを順番に説明した説明図である。
【図１３】  ブラシの昇降を係止する係止手段とスキージブレードを床面から離間した状態に係止する仮り止め手段の構成を説明した一部断面側面図である。
【図１４】  スキージブレードを床面から離間させた時の状態を拡大して示した一部断面側面図である。
【符号の説明】
１              床面洗浄機
２              操作ハンドル
ＲＡ            ブラシ
ＦＲ            床面
８              ブラシヘッド部
８Ｍ            モータ
８′            スキージフレーム
１０Ａ，１０Ｂ          スキージブレード
２１            ハンドル支点軸
２２            ガイド筒
２２Ａ          係止溝
２２Ｂ          ストッパー
２３            スライド軸
２６            ロック用フック片
３０            マグネット
【図１】
0003781947.tif 000002
【図２】
0003781947.tif 000003
【図３】
0003781947.tif 000004
【図４】
0003781947.tif 000005
【図５】
0003781947.tif 000006
【図６】
0003781947.tif 000007
【図７】
0003781947.tif 000008
【図８】
0003781947.tif 000009
【図９】
0003781947.tif 000010
【図１０】
0003781947.tif 000011
【図１１】
0003781947.tif 000012
【図１２】
0003781947.tif 000013
【図１３】
0003781947.tif 000014
【図１４】
0003781947.tif 000015